(57)【特許請求の範囲】
【請求項１】
車体に搭載されて回転する塵芥収集用の貯溜ドラムの開口端付近に設けられ、外部から投入される被破砕材を破砕機によりチップ状に破砕して上記貯溜ドラム内へ送出する破砕機付き塵埃収集車において、上記破砕機が、上下２段の各段ごとに水平方向に複数のカッタ刃が相対回転可能に並設され且つ各段の各カッタ刃が交互に配置された一対のカッタ装置と、下段の隣接する各カッタ刃間にくし歯を介在させながら貯溜ドラムの開口端から当該貯溜ドラム内に向けて配置した板状のスクレーパと、このスクレーパに連続して設けられて上記くし歯により掻き出されたチップ状の被破砕材を貯溜ドラム内へ案内するガイドプレートとを備えたことを特徴とする破砕機付き塵芥収集車。
【発明の詳細な説明】
【０００１】
【発明の属する技術分野】
この発明は、破砕機付き塵芥収集車の改良に関する。
【０００２】
【従来の技術】
破砕機付き塵芥収集車は、例えば、街路樹の剪定で出される枝葉を破砕機でチップ状に破砕して、車台上に搭載された貯溜ドラム内に収容するように構成されている。
【０００３】
また、この貯溜ドラム内には螺旋ブレードが設けられており、貯溜ドラムが正転されるとき、チップ状に破砕された枝葉、すなわち、樹木チップを貯蔵ドラム内に送り込むように機能する。
【０００４】
図３は、上記破砕機付き塵芥収集車の一例を示すが、この破砕機付き塵芥収集車は、車体１上に正転方向および逆転方向に選択されて回転する貯溜ドラム２を有している。
【０００５】
ちなみに、この貯溜ドラム２は、車両走行用のエンジン（図示しない）の動力を受けて駆動力を出力する駆動源３によって被破砕材たる剪定された枝葉を投入する正転方向および破砕された樹木チップを外部に排出する逆転方向に選択的に回転される。
【０００６】
貯溜ドラム２内には、これの内周壁に基端が連設されて、上端が貯溜ドラム２の軸心線ａ側に向きながら、この貯溜ドラム２の回転方向に応じて、塵芥たる樹木チップを送り込み、あるいは、排出する一対の螺旋ブレード４を有する。
【０００７】
螺旋ブレード４の後端、すなわち、貯溜ドラム２の開口端に臨在される部位には、シールパイプ５が設けられており、このシールパイプ５は、貯溜ドラム２内の樹木チップが開口端から外部に零れ落ちるのを阻止するように機能する。
【０００８】
また、車体１の後端には、上記の開口端に近隣するようにフローガイド６が設けられており、このフローガイド６は、貯溜ドラム２内の樹木チップを外部に排出する際のシュートとして機能する。
【０００９】
さらに、このフローガイド６に近隣するように破砕機７が設けられており、この破砕機７の後方に折り畳み式のホッパ８が配置されている。
【００１０】
一方、上記破砕機７は、図４に示すように、上下２段の各段ごとに水平方向に複数のカッタ刃が並設された一対のカッタ装置９，１０を有し、上下段の各カッタ刃９ａ，１０ａは交互に配置されている。
【００１１】
なお、これらのカッタ刃９ａ，１０ａは、これらの中心部に一体に設けられたカラー９ｂ，１０ｂが図示しない各一の水平軸に支持されて、上記駆動源などから動力を受けて回転するようにされている。
【００１２】
１１は、各一の水平軸の左右端（両端）を回転自在に支持するブラケットである。
【００１３】
また、上記カッタ装置９，１０を上下から挟む位置の、左右のブラケット１１，１１間には、それぞれ積層ブロック構造のスクレーパ１２，１３が取り付けられている。
【００１４】
これらのスクレーパ１２，１３は、先が尖った山形の２つの掻き取り部Ｐ１，Ｐ２を持った複数の板状の鋼製のブロック１４と、複数の短冊板状の鋼製のブロック１５とを、図５および図６に示すように交互に重ね合わせて一体化したものからなる。
【００１５】
このような構成の破砕機付き塵芥収集車では、ホッパ８上に載置され、続いて破砕機７方向に押し込まれた被破砕材は、スクレーパ１２，１３の対向する２つの傾斜面ｑ１，ｑ１にガイドされながら直ちに、上下２段のカッタ装置９，１０間に投入され、これらの各カッタ刃９ａ，１０ａがこれらの間に押し込まれた被破砕材を連続的に掻き込みながらチップ状に破砕していく。
【００１６】
一方、このようにして破砕されたチップ状の被破砕材は、貯蔵ドラム２の開口端に向って送出されるが、このとき、各スクレーパ１２，１３の送出側に位置する各掻き取り部Ｐ１が、カッタ刃９ａ，９ａ間および１０ａ，１０ａ間に出てくるチップ状の被破砕材を掻き落すようにおよびすくい取るように機能する。
【００１７】
また、上記被破砕材が硬すぎたり、柔らかすぎたりすると、これが上下段のカッタ刃９ａ，１０ａ間に噛み込まれて、または、巻き込まれてしまい、送出側へ円滑に送出されない場合がある。
【００１８】
このような場合には、スイッチ操作などにより上下の各カッタ刃９ａ，１０ａをそれぞれの正転方向（破砕回転方向）に対して逆転するように、各カッタ装置９，１０を駆動する。
【００１９】
これにより、上下のカッタ刃９ａ，１０ａ間に噛み込まれた被破砕材が不適投入物として上記投入方向とは逆方向に戻される。
【００２０】
そして、この戻りの動作時に上記噛み込み状態が解け、投入口側の上下段の各スクレーパ１２，１３の各掻き取り部Ｐ２が、戻されて移動してくる被破砕材を掻き落してまたはすくい取る。
【００２１】
そこで、この被破砕材を向きを変えるなどして、正転させた各カッタ刃９ａ，１０ａ間に再び投入すれば、破砕することが可能になる。
【００２２】
このとき、各スクレーパ１２，１３は上記逆転時に被破砕材が送出側へ巻き込まれていくのを阻止する。
【００２３】
【発明が解決しようとする課題】
しかしながら、かかる従来の破砕機付き塵芥収集車にあっては、各スクレーパ１２，１３が鋼製のブロック１４，１５を積層して組み付けたものからなるため構造が丈夫で位置ずれや変形を生じない点で有利であるが、その重量が大きいために組み付け作業が面倒であるほか、コストが高いものにつくという課題があった。
【００２４】
また、各スクレーパ１２，１３の各掻き取り部Ｐ１から送出されたチップ状の被破砕材が貯溜ドラムの開口端に円滑に誘導されず、付近に落下，散乱してしまうという課題があった。
【００２５】
もっとも、その掻き取り部Ｐ１の下方にガイド部材を設置すれば、上記のような落下，散乱を防止できるものの、その設置構造が複雑になってしまう。
【００２６】
この発明は、上記のような課題を解決するものであり、チップ状の被破砕材の送出側にガイドプレートとこれに連続する板状のスクレーパを配置することで、所期のチップ状の被破砕材の掻き取り作業と掻き取ったチップ状の被破砕材の送出方向への誘導を、軽量かつローコストな構成にて連続的かつスムースに行うことができる破砕機付き塵芥収集車を得ることを目的とする。
【００２７】
【課題を解決するための手段】
上記目的達成のために、この発明にかかる破砕機付き塵芥収集車は、車体に搭載されて回転する塵芥収集用の貯溜ドラムの開口端付近に設けられ、外部から投入される被破砕材を破砕機によりチップ状に破砕して上記貯溜ドラム内へ送出する破砕機付き塵埃収集車において、上記破砕機が、上下２段の各段ごとに水平方向に複数のカッタ刃が相対回転可能に並設され且つ各段の各カッタ刃が交互に配置された一対のカッタ装置と、下段の隣接する各カッタ刃間にくし歯を介在させながら貯溜ドラムの開口端から当該貯溜ドラム内に向けて配置した板状のスクレーパと、このスクレーパに連続して設けられて上記くし歯により掻き出されたチップ状の被破砕材を貯溜ドラム内へ案内するガイドプレートとを備えたことを特徴とするものである。
【００２８】
【発明の実施の形態】
以下、この発明の実施の形態を図について説明する。
図１乃至図４は、この発明の破砕機付き塵芥収集車を示し、これは、車体１に搭載されて回転する塵芥収集用の貯溜ドラム２の開口端付近に設けられ、外部から投入される被破砕材を破砕機７Aによりチップ状に破砕して上記貯溜ドラム２内へ送出するものである。そして、上記破砕機７Aが、上下２段の各段ごとに水平方向に複数のカッタ刃９a、１０aが相対回転可能に並設され且つ各段の各カッタ刃９a、１０aが交互に配置された一対のカッタ装置９と、下段の隣接する各カッタ刃１０a、１０a間にくし歯たる突片Tを介在させながら貯溜ドラム２の開口端から当該貯溜ドラム２内に向けて配置した板状のスクレーパ１５と、このスクレーパ１５に連続して設けられて上記くし歯により掻き出されたチップ状の被破砕材を貯溜ドラム２内へ案内するガイドプレート１５aとを備えている。以下詳しく説明する。
【００２９】
図１に示すように、この発明の破砕機７Aは,上下２段の段ごとに複数のカッタ刃９a、１０aが並設された上記従来と同様のカッタ刃９，１０を有する。
【００３０】
一方、このカッタ装置９，１０のカッタ刃９ａ，１０ａに対して貯溜ドラム２が設けられた側、つまりチップ状の被破砕材の送出側には、それぞれくし歯形のスクレーパ１４，１５が、上下２箇所に、締結部材Ｓにより固定されている。
【００３１】
そして、これらの各スクレーパ１４，１５の歯である各突片Ｔが、各カッタ刃９ａ，９ａ間および１０ａ，１０ａ間のカラー９ｂ，１０ｂの各外周に先端部を臨ませている。
【００３２】
ここで、カッタ刃１０ａ側のスクレーパ１５は、突片Ｔがある側とは反対方向に図２に示すように長く延長するガイドプレート１５ａを有して、貯溜ドラム２の開口端付近より貯溜ドラム２内に臨み、これがカッタ刃１０ａ，１０ａ間の上記突片Ｔにより掻き出されてきたチップ状の被破砕材を、下方へ落下，散乱させずに、上記開口端より貯溜ドラム２内に連続的に案内して、貯溜ドラム２内へ円滑に送出するようにしている。
【００３３】
なお、このガイドプレート１５ａは、スクレーパ１５に図示のように一体に設けるほか、スクレーパ１５に締結部材を用いて連結するように設けてもよい。
【００３４】
また、図１において、１６，１７は、上下各段のカッタ刃９ａ，１０ａに先端部および補強用屈曲部が近接するように、被破砕材の投入側に配置された板状の不適投入物除去部材である。
【００３５】
これらの不適投入物除去部材１６，１７の先端部および屈曲部は、いずれも、各カッタ刃９ａ，９ａ間および１０ａ，１０ｂ間の各カラー９ｂ，１０ｂ近傍に臨んでいないため、図４に示したようなスクレーパ１２，１３のような機能を持たないが、カッタ刃９ａ，１０ａの逆転時に投入側に戻された被破砕材に触れて、これをきっかけにしてその被破砕材を掻き落し、またはすくい取るように機能する。
【００３６】
なお、このほかの図４に示したものと同一の構成部分には同一符号を付して、その重複する説明を省略する。
【００３７】
従って、このような構成の破砕機付き塵芥収集車では、ホッパ８上に載置され続いて破砕機７Ａ方向に押し込まれた被破砕材は、不適投入物除去部材１６，１７にガイドされながら直ちに、上下２段のカッタ装置９，１０間に投入され、これらの各カッタ刃９ａ，１０ａがこれらの間に押し込まれた被破砕材を連続的に掻き込みながらチップ状に破砕していく。
【００３８】
また、このようにしてチップ状に破砕された被破砕材は、カッタ刃９ａ，１０ａの送出側へ次々に送り出され、下部のスクレーパ１５に一体のガイドプレート１５ａ上に案内される。
【００３９】
さらに、このガイドプレート１５ａ上のチップは順次押し出されて移動し、遂には貯溜ドラム２の開口部から内部へ落下，投入される。
【００４０】
ここで、上記カッタ刃９ａ，９ａ間や１０ａ，１０ａ間に残留しようとするチップ状の被破砕材は各スクレーパ１４，１５の突片Ｔによって掻き出されたりすくい取られたりして、ガイドプレート１５ａ上を上記同様にして案内され、貯溜ドラム２内に投入される。
【００４１】
このように、この発明では、カッタ刃９ａ，１０ａの送出側に設けられるスクレーパ１４，１５は板材からなるため、軽量かつ安価であるとともに、その加工や取り付けを容易に行える。
【００４２】
特に、下部のスクレーパ１５はガイドプレート１５ａを連設しているため、カッタ刃９ａ，９ａ間および１０ａ，１０ａ間から破砕されて送出されてきたチップ状の被破砕材を、円滑に貯溜ドラム２の開口端へと誘導することができる。
【００４３】
【発明の効果】
以上のように、この発明によれば、上記破砕機が、上下２段の各段ごとに水平方向に複数のカッタ刃が相対回転可能に並設され且つ各段の各カッタ刃が交互に配置された一対のカッタ装置と、下段の隣接する各カッタ刃間にくし歯を介在させながら貯溜ドラムの開口端から当該貯溜ドラム内に向けて配置した板状のスクレーパと、このスクレーパに連続して設けられて上記くし歯により掻き出されたチップ状の被破砕材を貯溜ドラム内へ案内するガイドプレートとを備えているので、チップ状の被破砕材の掻き取り作業と掻き取ったチップ状の被破砕材の貯溜ドラム内への誘導を、軽量かつローコストな構成にて連続的かつスムースに行うことができるという効果が得られる。
【図面の簡単な説明】
【図１】この発明の実施の一形態による破砕機付き塵芥収集車の要部を示す側面断面図である。
【図２】図２におけるスクレーパに連続するガイドプレートを示す平面図である。
【図３】一般的な破砕機付き塵芥収集車を示す側面図である。
【図４】従来の破砕機付き塵芥収集車の一部を示す側面断面図である。
【図５】図４における上下段のカッタ刃とスクレーパとの配置関係を概略的に示す側面図である。
【図６】図４におけるスクレーパを示す斜視図である。
【符号の説明】
１  車体
２  貯溜ドラム
７Ａ  破砕機
９，１０  カッタ装置
９ａ，１０ａ  カッタ刃
１５  スクレーパ
１５ａ  ガイドプレート
【図１】
0003730061.tif 000002
【図２】
0003730061.tif 000003
【図３】
0003730061.tif 000004
【図４】
0003730061.tif 000005
【図５】
0003730061.tif 000006
【図６】
0003730061.tif 000007